(57)【要約】【課題】  写真によるなりすましを簡易に判別する。【解決手段】  携帯電話機は、認証対象者の顔を撮影する撮影部１３と、撮影部１３が撮影した顔画像を、予め登録された顔画像と照合する顔画像照合部３４と、認証対象者の顔までの距離を測定する距離センサ部１４および距離検知部３２とを備える。撮影部１３が認証対象者の顔を撮影すると、距離検知部３２が距離センサ部１４を用いて認証対象者の顔までの距離を測定する。次に、測定した距離に基づいて、立体・平面判定部３３が認証対象者の顔の真偽を判別する。認証対象者の顔が偽である場合には、認証結果出力部３６が認証失敗を出力する。【選択図】  図４
2006259931.tif 000002
【特許請求の範囲】
【請求項１】
認証対象者の顔画像を、予め登録された顔画像と照合する照合手段を備えることにより顔認証を行う顔認証装置において、
所定位置から前記認証対象者の顔までの距離を取得する距離取得手段と、
該距離取得手段が取得した距離に基づいて、前記認証対象者の顔の真偽を判別する対象判別手段とを備えることを特徴とする顔認証装置。
【請求項２】
前記距離取得手段は、複数の所定位置から前記認証対象者の顔における複数の測定点までの距離をそれぞれ取得しており、
前記対象判別手段は、前記距離取得手段が取得した複数の距離が略同じか否かを判定し、略同じである場合には、前記認証対象者の顔を偽と判別することを特徴とする請求項１に記載の顔認証装置。
【請求項３】
前記距離取得手段は、所定位置から前記認証対象者の顔における複数の測定点までの距離および角度をそれぞれ取得しており、
前記対象判別手段は、前記距離取得手段が取得した複数の距離および角度に基づいて、前記複数の測定点の位置を特定し、特定した複数の位置が同一平面にあるか否かを判定し、同一平面にある場合には、前記認証対象者の顔を偽と判別することを特徴とする請求項１に記載の顔認証装置。
【請求項４】
認証対象者本人の顔画像と、所定位置から前記認証対象者本人の顔までの距離とが予め登録されており、
前記対象判別手段は、前記距離取得手段が取得した距離と、予め登録された距離とが略一致するか否かを判定し、略一致しない場合には、前記認証対象者の顔を偽と判別することを特徴とする請求項１に記載の顔認証装置。
【請求項５】
請求項１ないし４の何れか１項に記載の顔認証装置と、
前記認証対象者の顔を撮影して、前記認証対象者の顔画像を作成する撮影手段と、
所定位置から前記認証対象者の顔までの距離を測定する距離測定手段とを備えることを特徴とする電子機器。
【請求項６】
認証対象者の顔画像を、予め登録された顔画像と照合する照合手段を備えることにより顔認証を行う顔認証装置の制御方法であって、
所定位置から前記認証対象者の顔までの距離を取得し、
取得した距離に基づいて、前記認証対象者の顔の真偽を判別することを特徴とする顔認証装置の制御方法。
【請求項７】
請求項１ないし４の何れか１項に記載の顔認証装置を動作させるための顔認証装置制御プログラムであって、コンピュータを上記各手段として機能させるための顔認証装置制御プログラム。
【請求項８】
請求項７に記載の顔認証装置制御プログラムが記録されたコンピュータ読取り可能な記録媒体。
【発明の詳細な説明】
【技術分野】
【０００１】
本発明は、認証対象者の顔を撮影し、撮影した顔画像を、予め登録された顔画像と照合することにより顔認証を行う顔認証装置およびその制御方法、顔認証装置を備えた電子機器、顔認証装置制御プログラム、ならびに該プログラムを記録した記録媒体に関するものである。
【背景技術】
【０００２】
従来、本人確認を行うための認証技術の１つとして、認証対象者の顔を撮影し、撮影した顔画像と、予め登録した本人の顔画像とを照合することにより本人確認を行う顔認証技術が知られている。この顔認証技術では、認証対象者の顔を撮影するときに、本人の顔写真を撮影させることにより本人になりすます、いわゆる「写真によるなりすまし」を防止する必要がある。なお、本人の顔写真は、本人の撮影画像が印刷された印画紙の場合もあれば、本人の撮影画像が表示された表示手段の場合もある。
【０００３】
この問題点に対し、特許文献１には、利用者を複数の角度から撮像して認証時利用者画像を生成し、利用者を認証するときに用いられる利用者本人の顔の３次元情報を予め保持し、複数の認証時利用者画像及び複数の利用者画像のそれぞれの撮像角度を用いて利用者の認証時３次元情報を生成し、当該利用者の認証時３次元情報を、利用者本人の３次元情報に照合して、利用者が本人であると認証する顔認証技術が開示されている。
【特許文献１】特開２００４−３６２０７９号公報（２００４年１２月２４日公開）
【特許文献２】特開２０００−３００６６号公報（２０００年１月２８日公開）
【特許文献３】特開２００３−２６３６３９号公報（２００３年９月１９日公開）
【発明の開示】
【発明が解決しようとする課題】
【０００４】
しかしながら、上記特許文献１の構成では、利用者本人の顔の３次元情報を予め保持する必要があり、記憶すべき情報量が増大する。また、撮影を複数回行う必要があり、時間および手間がかかることになる。
【０００５】
本発明は、上記の問題点に鑑みてなされたものであり、その目的は、写真によるなりすましを簡易に判別できる顔認証装置などを提供することにある。
【課題を解決するための手段】
【０００６】
本発明に係る顔認証装置は、上記課題を解決するために、認証対象者の顔画像を、予め登録された顔画像と照合する照合手段を備えることにより顔認証を行う顔認証装置において、所定位置から前記認証対象者の顔までの距離を取得する距離取得手段と、該距離取得手段が取得した距離に基づいて、前記認証対象者の顔の真偽を判別する対象判別手段とを備えることを特徴としている。
【０００７】
なお、所定位置の例としては、上記距離を測定する距離センサの位置、認証対象者の顔を撮影するカメラの位置などが挙げられる。
【０００８】
ところで、実際の顔であれば、立体であるので凹凸が存在し、このため、顔における複数の測定点までの距離が異なることになる。一方、顔写真であれば、平面であるため、複数の測定点までの距離が略同じとなる。したがって、認証対象者の顔における複数の測定点までの距離が略同じであれば、写真によるなりすましと判断できる。
【０００９】
また、実際の顔であれば、立体であるので凹凸が存在し、このため、顔における複数の上記測定点の位置が同一平面上には存在しないことになる。一方、顔写真であれば、平面であるため、複数の上記測定点の位置が同一平面上に存在することになる。したがって、認証対象者の顔における複数の上記測定点の位置が同一平面上に存在すれば、写真によるなりすましと判断できる。
【００１０】
また、一般に、顔写真の寸法は実際の顔の寸法よりも小さい。このため、顔写真を撮影した顔画像を、実際の顔を撮影した顔画像と寸法を同程度にするには、顔写真を撮影手段に近づける必要がある。したがって、認証対象者本人の顔までの距離を予め登録しておき、認証対象者の顔までの距離が、登録された距離と異なる場合には、写真によるなりすましと判断できる。
【００１１】
したがって、上記の構成によると、顔画像の照合を行う前に、所定位置から認証対象者の顔までの距離を取得し、取得した距離に基づいて、認証対象者の顔の真偽を判別できるので、写真によるなりすましを簡易に判別することができる。
【００１２】
本発明に係る顔認証装置では、前記距離取得手段は、複数の所定位置から前記認証対象者の顔における複数の測定点までの距離をそれぞれ取得しており、前記対象判別手段は、前記距離取得手段が取得した複数の距離が略同じか否かを判定し、略同じである場合には、前記認証対象者の顔を偽と判別してもよい。
【００１３】
この場合、顔画像の照合を行う前に、複数の所定位置から認証対象者の顔における複数の測定点までの距離をそれぞれ取得することにより、写真によるなりすましを簡易に判別することができる。なお、複数の所定位置の例としては、複数の距離センサの位置が挙げられる。
【００１４】
本発明に係る顔認証装置では、前記距離取得手段は、所定位置から前記認証対象者の顔における複数の測定点までの距離および角度をそれぞれ取得しており、前記対象判別手段は、前記距離取得手段が取得した複数の距離および角度に基づいて、前記複数の測定点の位置を特定し、特定した複数の位置が同一平面にあるか否かを判定し、同一平面にある場合には、前記認証対象者の顔を偽と判別してもよい。
【００１５】
この場合、顔画像の照合を行う前に、所定位置から認証対象者の顔における複数の測定点までの距離および角度をそれぞれ取得することにより、写真によるなりすましを簡易に判別することができる。また、スキャン可能な１つの距離測定手段を利用すれば、角度を変えて前記距離の測定を繰り返すことにより、所定位置から複数の測定点までの距離および角度をそれぞれ取得できるので、上述の構成に比べて、必要な距離測定手段の数を減らすことができる。なお、測定点の位置が同一平面上に存在するか否かを調べるために、測定点は３点以上であることが好ましい。
【００１６】
本発明に係る顔認証装置では、認証対象者本人の顔画像と、所定位置から前記認証対象者本人の顔までの距離とが予め登録されており、前記対象判別手段は、前記距離取得手段が取得した距離と、予め登録された距離とが略一致するか否かを判定し、略一致しない場合には、前記認証対象者の顔を偽と判別してもよい。
【００１７】
この場合、顔画像の照合を行う前に、所定位置から認証対象者の顔までの距離を取得することにより、写真によるなりすましを簡易に判別することができる。また、距離を１回測定するのみで良いので、上述の構成に比べて、写真によるなりすましをより簡便に判別することができる。
【００１８】
本発明に係る電子機器は、上記課題を解決するため、上記構成の顔認証装置と、前記認証対象者の顔を撮影して、前記認証対象者の顔画像を作成する撮影手段と、所定位置から前記認証対象者の顔までの距離を測定する距離測定手段とを備えることを特徴としている。
【００１９】
上記構成によると、撮影手段が撮影して作成した認証対象者の顔画像を、予め登録された顔画像と照合手段が照合する前に、所定位置から認証対象者の顔までの距離を、距離測定手段が測定して、距離取得手段が取得し、取得した距離に基づいて、対象判別手段が認証対象者の顔の真偽を判別できるので、写真によるなりすましを簡易に判別することができる。したがって、本発明に係る電子機器でも、上記構成の表示装置と同様の作用効果を奏することができる。
【００２０】
本発明に係る顔認証装置の制御方法は、上記課題を解決するため、認証対象者の顔画像を、予め登録された顔画像と照合する照合手段を備えることにより顔認証を行う顔認証装置の制御方法であって、所定位置から前記認証対象者の顔までの距離を取得し、取得した距離に基づいて、前記認証対象者の顔の真偽を判別することを特徴としている。
【００２１】
上記の方法によると、顔画像の照合を行う前に、所定位置から認証対象者の顔までの距離を取得し、取得した距離に基づいて、認証対象者の顔の真偽を判別できるので、写真によるなりすましを簡易に判別することができる。
【００２２】
なお、上記顔認証装置における各手段を、顔認証装置制御プログラムによりコンピュータ上で実行させることができる。さらに、上記顔認証装置制御プログラムをコンピュータ読取り可能な記録媒体に記憶させることにより、任意のコンピュータ上で上記顔認証装置制御プログラムを実行させることができる。
【発明の効果】
【００２３】
以上のように、本発明に係る顔認証装置は、顔画像の照合を行う前に、所定位置から認証対象者の顔までの距離を取得し、取得した距離に基づいて、認証対象者の顔の真偽を判別できるので、写真によるなりすましを簡易に判別できるという効果を奏する。
【発明を実施するための最良の形態】
【００２４】
本発明の一実施形態について図１〜図５に基づいて説明すれば、以下のとおりである。図２は、本実施形態である携帯電話機の外観を示している。図示のように、携帯電話機（電子機器）１０は、ユーザの操作を受け付ける操作部１１と、各種の情報を表示する表示部１２と、ユーザなどの被写体を撮影する撮影部（撮影手段）１３とが主面側に設けられている。
【００２５】
本実施形態では、被写体との距離を検出する複数の距離センサ部（距離測定手段）１４が、携帯電話機１０の主面側の適所に設けられている。図２に示される場合では、３個の距離センサ部１４ａ〜１４ｃが、携帯電話機１０の主面側における上部中央、中心部、および下部中央にそれぞれ設けられている。
【００２６】
図２は、携帯電話機１０の概略構成を示している。図示のように、携帯電話機１０は、操作部１１、表示部１２、撮影部１３、距離センサ部１４、制御部２０、記憶部２１、音声出力部２２、音声入力部２３、および通信部２４を備える構成である。
【００２７】
操作部１１は、ユーザから各種の入力を受け付けるものであり、入力用ボタン、キーボード、テンキー、マウスなどのポインティングデバイス、タッチパネル、その他の入力デバイスによって構成されている。操作部１１は、ユーザが操作した情報を操作データに変換して制御部２０に送信する。
【００２８】
表示部１２は、ＣＲＴ（陰極線管）、ＬＣＤ（液晶表示素子）、プラズマディスプレイなどの表示デバイスによって構成されている。表示部１２は、制御部２０から受信した表示データに基づいて、文字や画像などの各種の情報を表示出力する。
【００２９】
撮影部１３は、内部に例えばレンズ群、絞り、撮像素子などを備えたデジタルカメラを搭載している。撮像素子の例としては、ＣＣＤ（charge coupled device）、およびＣＭＯＳ（Complementary Metal-oxide Semiconductor）イメージセンサが挙げられる。撮影部１３は、被写体の撮影を行って撮影画像を取得し、撮影画像のデータに変換して制御部２０に送信する。
【００３０】
距離センサ部１４は、或る種の波動を外部に送り出す送出部と、上記波動が被写体にて反射して受け取る受取部とを備えており、送り出した波動と、受け取った波動との位相差や時間差などから、被写体との距離を検出できる。距離センサ部１４は、検出した距離のデータを制御部２０に送信する。なお、距離センサ部１４にて利用される波動としては、赤外線、電波、超音波が挙げられる。特に、小型化の観点と、赤外線通信の観点とから、距離センサ部１４は、赤外線ＬＥＤ（Light Emitting Diode）およびＰＤ（Photo Diode）の組合せを備えることが望ましい。
【００３１】
制御部２０は、携帯電話機１０内における上述した各種構成の動作を統括的に制御する。制御部２０は、例えばＰＣ（Personal Computer）ベースのコンピュータによって構成される。そして、各種構成の動作制御は、制御プログラムをコンピュータに実行させることによって行われる。このプログラムは、例えばＣＤ−ＲＯＭなどのリムーバブルメディアに記録されているものを読み込んで使用する形態であってもよいし、ハードディスクなどにインストールされたものを読み込んで使用する形態であってもよい。また、通信部２２を介して上記プログラムをダウンロードしてハードディスクなどにインストールして実行する形態なども考えられる。
【００３２】
記憶部２１は、上記したハードディスクなどの不揮発性の記憶装置によって構成されるものである。この記憶部２１に記憶される内容としては、上記した制御プログラム、ＯＳ（operating system）プログラム、およびその他各種プログラム、撮影部１３における動作設定値、撮影した画像の画像データ、入力された文字データなどが挙げられる。撮影部１３における動作設定値としては、装置出荷時やメンテナンス時などに設定されるホワイトバランスの値、撮影画像の明暗などを調整する際の画像処理に関する各種パラメータ値などが挙げられる。
【００３３】
音声出力部２２は、制御部２０からの音声データを音波に変換して外部に出力するものである。具体的には、音声出力部２２は、Ｄ／Ａ変換器、スピーカ、イヤホンなどを備える。音声入力部２３は、外部から入力された音波を音声データに変換して制御部２０に送信するものである。具体的には、音声入力部２３は、マイクロホン、Ａ／Ｄ変換器などを備える。
【００３４】
通信部２４は、携帯電話システムにおける基地局と無線通信を行うものである。すなわち、通信部２４は、制御部２０からの通信データを無線通信に適した形式に変換して電波を基地局に送り出す。また、通信部２４は、基地局から受け取った電波を通信データに変換して、制御部２０に送信する。
【００３５】
本実施形態では、制御部２０は、ユーザ本人を確認するため顔認証を行う顔認証部（顔認証装置）３０を備えている。図４は、顔認証部３０の概略構成を示している。図示のように、顔認証部３０は、顔画像取得部３１、距離検知部（距離取得手段）３２、立体・平面判定部（対象判別手段）３３、顔画像照合部（照合手段）３４、および認証結果出力部３６を備える構成である。また、記憶部２１は、登録された顔の特徴情報を含む１または複数の顔特徴データ３５を記憶している。
【００３６】
顔画像取得部３１は、撮影部１３に指示して被写体の撮影画像を取得し、取得した撮影画像の中から照合対象となる顔画像を取得するものである。この顔画像の取得は、肌色領域を検出したり、顔の輪郭を検出したり、顔の特徴点を検出したりするなど、公知の顔認識技術を利用することができる。また、顔画像取得部３１は、顔画像を取得した旨を距離検知部３２に通知する。
【００３７】
距離検知部３２は、顔画像取得部３１が上記顔画像を取得すると、距離センサ部１４に指示して、被写体の顔の部分までの距離を検知する。本実施形態では、３個の距離センサ部１４ａ〜１４ｃに指示して、被写体の顔の部分までの距離を３点検知する。また、距離検知部３２は、検知結果を立体・平面判定部３３に通知する。
【００３８】
図５（ａ）は、携帯電話機１０の各距離センサ部１４ａ〜１４ｃから立体の被写体４０までの距離を示しており、同図（ｂ）は、各距離センサ部１４ａ〜１４ｃから平面の被写体４１までの距離を示している。同図（ａ）を参照すると、各距離センサ部１４ａ〜１４ｃが立体の被写体４０までの距離を検出する場合、各距離が異なることが理解できる。特に、中心の距離センサ部１４ｂから立体の被写体４０までの距離が、他の距離センサ部１４ａ・１４ｃから立体の被写体４０までの距離に比べて短いことが理解できる。
【００３９】
一方、図５（ｂ）を参照すると、各距離センサ部１４ａ〜１４ｃが平面の被写体４１までの距離を検出する場合、各距離が略同じであることが理解できる。したがって、各距離センサ部１４ａ〜１４ｃが検出する各距離が略同じであるか否かを調べることにより、被写体が立体であるか平面であるかを判断できる。
【００４０】
なお、距離を測定する測定点は、目、鼻、口、輪郭の外側など、顔の特徴となる位置であることが好ましい。本実施形態では、目、鼻、および口を測定点としている。
【００４１】
図４に戻ると、立体・平面判定部３３は、距離検知部３２の検知結果に基づいて、被写体が立体であるか平面であるかを判定する。具体的には、立体・平面判定部３３は、３個の距離センサ部１４ａ〜１４ｃから被写体までの各距離が略同一である場合には、被写体が凹凸のない平面であると判定する。一方、上記各距離が異なる場合には、立体・平面判定部３３は、被写体が凹凸のある立体であると判定する。立体・平面判定部３３は、判定結果を顔画像照合部３４および認証結果出力部３６に通知する。
【００４２】
顔画像照合部３４は、被写体が立体であると立体・平面判定部３３が判定した場合に、公知の顔認証技術を利用して、顔画像取得部３１が取得した顔画像から顔の特徴情報を抽出し、抽出した特徴情報と、記憶部２１に記憶された顔特徴データ４５とを照合するものである。顔画像照合部３４は、照合結果を認証結果出力部３６に送信する。なお、顔認証技術としては、種々のものが知られており、例えば、固有顔法、ＬＦＡ（Local Feature Analysis）法、グラフマッチング法、ニューラルネットワーク法、制約相互部分空間法、摂動空間法、および周波数解析法が挙げられる。
【００４３】
認証結果出力部３６は、立体・平面判定部３３の判定結果と、顔画像照合部３４の照合結果とに基づいて、認証結果を表示するように表示部１２に指示するものである。具体的には、被写体が平面であるとの判定結果の場合、または不一致であるとの照合結果の場合に、認証結果出力部３６は、認証失敗の認証結果を表示するように表示部１２に指示する。一方、一致したとの照合結果の場合に、認証結果出力部３６は、認証成功の認証結果を表示するように表示部１２に指示する。
【００４４】
図１は、上記構成の携帯電話機１０における顔認証の処理動作を示している。図示のように、まず、顔画像取得部３１が、撮影部１３に指示して被写体の撮影画像を取得し、取得した撮影画像の中から照合対象となる顔画像（対象顔画像）を取得する（ステップＳ１０。以下、単に「Ｓ１０」と記載することがある。他のステップについても同様である。）。
【００４５】
次に、距離検知部３２が、３個の距離センサ部１４ａ〜１４ｃに指示して、被写体の顔の部分までの距離を３点測定する（Ｓ１１）。次に、３つの距離に有意な差が存在するか否かを、立体・平面判定部３３が判断する（Ｓ１２）。３つの距離に有意な差が存在しない場合、すなわち、３つの距離が略同一である場合には（ステップＳ１２でＮＯ）、被写体が平面であると立体・平面判定部３３が判断し、認証結果出力部３６の指示により、認証失敗の旨を表示部１２が表示出力する（Ｓ１３）。
【００４６】
一方、３つの距離に有意な差が存在する場合には（ステップＳ１２でＹＥＳ）、被写体が立体であると立体・平面判定部３３が判断し、顔画像取得部３１が取得した顔画像を顔画像照合部３４が照合する（Ｓ１４）。そして、認証結果出力部３６の指示により、認証結果を表示部１２が表示出力する（Ｓ１５）。ステップＳ１３またはステップＳ１５を行った後、顔認証の処理動作を終了する。
【００４７】
したがって、顔画像照合部３４が顔画像の照合を行う前に、距離センサ１４ａ〜１４ｃおよび距離検知部３２が、認証対象者の顔における複数の測定点までの距離をそれぞれ測定することにより、写真によるなりすましを簡易に判別することができる。
【００４８】
〔実施の形態２〕
本発明の他の実施形態について図６および図７に基づいて説明すれば、以下のとおりである。本実施形態の携帯電話機１０は、図１〜図５に示される携帯電話機１０に比べて、距離センサ部１４ａ〜１４ｃを３個設ける代わりに、スキャン可能な距離センサ部１４を１個設ける点と、距離検知部３２が距離センサ部１４に指示して行う距離の測定手法と、被写体が立体であるか否かの判定手法が異なり、その他の構成および処理動作は同様である。なお、上記実施形態で説明した構成および処理動作と同様の構成および処理動作には、同一の符号を付して、その説明を省略する。
【００４９】
図７は、携帯電話機１０の距離センサ部１４から被写体の顔の部分までの距離の測定手法を示しており、同図（ａ）は被写体が立体である場合を示しており、同図（ｂ）は被写体が平面である場合を示している。図示のように、本実施形態では、スキャン可能な距離センサ部１４から被写体の顔の部分までの距離を、角度を変えて３回測定するように、距離検知部３２が距離センサ部１４に指示している。
【００５０】
また、図７を参照すると、上記距離および角度から３つの測定点の位置関係を把握することができる。同図（ａ）を参照すると、立体の被写体４０の場合、３つの測定点が同一平面上に存在しないことが理解できる。一方、同図（ｂ）を参照すると、平面の被写体４１の場合、３つの測定点が同一平面上に存在することが理解できる。したがって、３つの測定点が同一平面上に存在する場合には被写体が平面であると判断でき、３つの測定点が同一平面上に存在しない場合には被写体が立体であると判断できる。すなわち、３つの測定点が同一平面上に存在する場合には、写真によるなりすましであると判断できる。
【００５１】
図６は、上記構成の携帯電話機１０における顔認証の処理動作を示している。図示のように、まず、顔画像取得部３１が、撮影部１３に指示して被写体の撮影画像を取得し、取得した撮影画像の中から照合対象となる顔画像を取得する（Ｓ１０）。
【００５２】
次に、距離検知部３２が、距離センサ部１４に指示して、被写体の顔の部分までの距離を、角度を変えて３点測定する（Ｓ２１）。次に、立体・平面判定部３３は、距離検知部３２が検知（測定）した距離および角度に基づいて、３つの測定点の位置関係を求め、該位置関係が立体であるか否かを判断する（Ｓ２２）。立体ではない場合には（ステップＳ２２でＮＯ）、被写体が平面であると立体・平面判定部３３が判断し、認証結果出力部３６の指示により、認証失敗の旨を表示部１２が表示出力する（Ｓ１３）。
【００５３】
一方、３つの測定点の位置関係が立体である場合には（ステップＳ２２でＹＥＳ）、被写体が立体であると立体・平面判定部３３が判断し、顔画像取得部３１が取得した顔画像を顔画像照合部３４が照合する（Ｓ１４）。そして、認証結果出力部３６の指示により、認証結果を表示部１２が表示出力する（Ｓ１５）。ステップＳ１３またはステップＳ１５を行った後、顔認証の処理動作を終了する。
【００５４】
したがって、顔画像照合部３４が顔画像の照合を行う前に、距離センサ１４および距離検知部３２が、認証対象者の顔における複数の測定点までの距離および角度をそれぞれ測定することにより、写真によるなりすましを簡易に判別することができる。
【００５５】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【００５６】
例えば、上記実施形態では、認証対象者の顔における複数の測定点までの距離を測定している。ところで、通常、顔写真は、実際の顔の寸法よりも小さい。このため、顔写真を撮影した顔画像を、実際の顔を撮影した顔画像と寸法を同程度にするには、顔写真を撮影部１３に近づける必要がある。したがって、認証対象者本人の顔までの距離を、顔特徴データ３５と共に記憶部２１に記憶しておき、距離検知部３２が、認証対象者の顔までの距離を測定し、測定した距離が、記憶部２１に記憶した距離と異なる場合には、立体・平面判定部３３が写真によるなりすましと判断して、認証対象者の顔を偽と判別し、認証結果出力部３６が認証失敗を出力することもできる。
【００５７】
この場合でも、顔画像照合部３４が顔画像の照合を行う前に、距離センサ１４および距離検知部３２が、認証対象者の顔までの距離を測定することにより、写真によるなりすましを簡易に判別することができる。また、距離を１回測定するのみで良いので、上記実施形態に比べて、写真によるなりすましをより簡便に判別することができる。
【００５８】
また、携帯電話機１０における顔認証部３０の各ブロックは、ハードウェアロジックによって構成してもよいし、次のようにＣＰＵを用いてソフトウェアによって実現してもよい。
【００５９】
すなわち、顔認証部３０は、各機能を実現する制御プログラムの命令を実行するＣＰＵ、上記プログラムを格納したＲＯＭ、上記プログラムを展開するＲＡＭ、上記プログラムおよび各種データを格納するメモリ等の記憶装置（記録媒体）などを備えている。そして、本発明の目的は、上述した機能を実現するソフトウェアである顔認証部３０の制御プログラムのプログラムコード（実行形式プログラム、中間コードプログラム、ソースプログラム）をコンピュータで読み取り可能に記録した記録媒体を、上記顔認証部３０に供給し、そのコンピュータ（またはＣＰＵやＭＰＵ）が記録媒体に記録されているプログラムコードを読み出し実行することによっても、達成可能である。
【００６０】
上記記録媒体としては、例えば、磁気テープやカセットテープ等のテープ系、フレキシブルディスク／ハードディスク等の磁気ディスクやＣＤ−ＲＯＭ／ＭＯ／ＭＤ／ＤＶＤ／ＣＤ−Ｒ等の光ディスクを含むディスク系、ＩＣカード（メモリカードを含む）／光カード等のカード系、あるいはマスクＲＯＭ／ＥＰＲＯＭ／ＥＥＰＲＯＭ／フラッシュＲＯＭ等の半導体メモリ系などを用いることができる。
【００６１】
また、顔認証部３０を通信ネットワークと接続可能に構成し、上記プログラムコードを通信ネットワークを介して供給してもよい。この通信ネットワークとしては、特に限定されず、例えば、インターネット、イントラネット、エキストラネット、ＬＡＮ、ＩＳＤＮ、ＶＡＮ、ＣＡＴＶ通信網、仮想専用網（virtual private network）、電話回線網、移動体通信網、衛星通信網等が利用可能である。また、通信ネットワークを構成する伝送媒体としては、特に限定されず、例えば、ＩＥＥＥ１３９４、ＵＳＢ、電力線搬送、ケーブルＴＶ回線、電話線、ＡＤＳＬ回線等の有線でも、ＩｒＤＡやリモコンのような赤外線、Ｂｌｕｅｔｏｏｔｈ（登録商標）、８０２．１１無線、ＨＤＲ、携帯電話網、衛星回線、地上波デジタル網等の無線でも利用可能である。なお、本発明は、上記プログラムコードが電子的な伝送で具現化された搬送波あるいはデータ信号列の形態でも実現され得る。
【産業上の利用可能性】
【００６２】
以上のように、本発明に係る顔認証装置は、顔画像の照合を行う前に、認証対象者の顔までの距離を取得し、取得した距離に基づいて、認証対象者の顔の真偽を判別することにより、写真によるなりすましを簡易に判別できるので、携帯電話機以外にも、顔認証を必要とする任意の電子機器に適用することができる。
【図面の簡単な説明】
【００６３】
【図１】本発明の一実施形態である携帯電話機における顔認証の処理動作を示すフローチャートである。
【図２】上記携帯電話機の外観を示す正面図である。
【図３】上記携帯電話機の概略構成を示すブロック図である。
【図４】上記携帯電話機における顔認証部の概略構成を示すブロック図である。
【図５】同図（ａ）は、上記携帯電話機の各距離センサ部から立体の被写体までの距離を示す図であり、同図（ｂ）は、各距離センサ部から平面の被写体までの距離を示す図である。
【図６】本発明の他の実施形態である携帯電話機における顔認証の処理動作を示すフローチャートである。
【図７】上記携帯電話機の距離センサ部から被写体の顔の部分までの距離の測定手法を示す図であり、同図（ａ）は被写体が立体である場合を示しており、同図（ｂ）は被写体が平面である場合を示している。
【符号の説明】
【００６４】
１０    携帯電話機（電子機器）
１３    撮影部（撮影手段）
１４・１４ａ〜１４ｃ    距離センサ部（距離測定手段）
３０    顔認証部（顔認証装置）
３２    距離検知部（距離取得手段）
３３    立体・平面判定部（対象判別手段）
３４    顔画像照合部（照合手段）
【図１】
2006259931.tif 000003
【図２】
2006259931.tif 000004
【図３】
2006259931.tif 000005
【図４】
2006259931.tif 000006
【図５】
2006259931.tif 000007
【図６】
2006259931.tif 000008
【図７】
2006259931.tif 000009